(57)【特許請求の範囲】
【請求項１】
シートの横に設けられ、アームレストパッドを前記シートの幅方向に展開させる第一軸を中心とする回動と、前記シートの幅方向に沿った第二軸を中心とする回動とを可能に前記アームレストパッドを支持するアームレストにおいて、
前記アームレストパッドと、
前記アームレストパッドを、前記第一軸を中心に回動可能に支持する第一の支持ブラケットと、
前記第一の支持ブラケットを、前記第二軸を中心に回動可能に支持する第二の支持ブラケットと、
を備え、
前記アームレストパッドと前記第一の支持ブラケットとを連結する締結部材を前記アームレストパッドの外側に配置し、
前記アームレストパッドには前記第一軸のネジ軸を挿通する筒状体が内蔵され、
前記ネジ軸には、当該ネジ軸を中心に位置決めするためのカラーが設けられており、
前記締結部材は、前記アームレストパッドから外部に延出された前記ネジ軸を締結することを特徴とするアームレスト。
【請求項２】
前記締結部材は、前記アームレストパッドから外部に延出された前記ネジ軸を締結するナットであることを特徴とする請求項１記載のアームレスト。
【請求項３】
前記ネジ軸は、前記第一軸と同心となるように設けられていることを特徴とする請求項１又は２記載のアームレスト。
【請求項４】
前記ネジ軸の先端部を挿入するボスを前記第一の支持ブラケットに固定装備したことを特徴とする請求項１から３のいずれか一項に記載のアームレスト。
【請求項５】
前記ネジ軸は長尺のボルトであり、
前記ボルトの両端部に、前記カラーが設けられていることを特徴とする請求項１から４のいずれか一項に記載のアームレスト。
【請求項６】
前記締結部材は、前記アームレストパッドから外部に延出された前記ネジ軸を締結するナットであり、
前記ボルトの先端部と前記ナットとの間に介在するワッシャーを備えることを特徴とする請求項５記載のアームレスト。
【発明の詳細な説明】
【技術分野】
【０００１】
本発明は、シートに設けられるアームレストに関する。
【背景技術】
【０００２】
従来より、乗物等のシートには、非使用時には収納し、アームレストの使用時には展開することができるようにアームレストパッドを支持するアームレストが装備されている。
このアームレストは、略プレート状のアームレストパッドと、アームレストパッドを展開させる方向に回動可能に支持するサブアームレストフレームと、当該サブアームレストフレームをシートの幅方向に沿った軸回りに回動可能に支持するアームレストブラケットとを備えている（例えば、特許文献１参照）。
上記アームレストでは、使用時には、アームレストブラケットがサブアームレストフレーム及びアームレストパッドを起立状態から前方に倒すように回動させ、さらに、サブアームレストフレームが立設した状態のアームレストパッドを前後方向に沿った軸回りに回動させて展開を行う。
また、収納時には、サブアームレストフレームが水平に展開された状態のアームレストパッドを前後方向に沿った軸回りに回動させて立設状態とし、アームレストブラケットがサブアームレストフレーム及びアームレストパッドをシートの幅方向に沿った軸回りに後方に回動させるようになっている。
【先行技術文献】
【特許文献】
【０００３】
【特許文献１】特許第３５７６９２５号公報
【発明の概要】
【発明が解決しようとする課題】
【０００４】
ところで、上記従来のアームレストは、アームレストパッドとサブアームレストフレームとを締結する締結部材がアームレストを構成する樹脂に埋設され、組付けの際の締結状態を確認することが困難であった。
【０００５】
本発明は、アームレストパッドの組み付けの際の締結状態の確認を容易にすることをその目的とする。
【課題を解決するための手段】
【０００６】
請求項１記載の発明は、
シートの横に設けられ、アームレストパッドを前記シートの幅方向に展開させる第一軸を中心とする回動と、前記シートの幅方向に沿った第二軸を中心とする回動とを可能に前記アームレストパッドを支持するアームレストにおいて、
前記アームレストパッドと、
前記アームレストパッドを、前記第一軸を中心に回動可能に支持する第一の支持ブラケットと、
前記第一の支持ブラケットを、前記第二軸を中心に回動可能に支持する第二の支持ブラケットと、
を備え、
前記アームレストパッドと前記第一の支持ブラケットとを連結する締結部材を前記アームレストパッドの外側に配置し、
前記アームレストパッドには前記第一軸のネジ軸を挿通する筒状体が内蔵され、
前記ネジ軸には、当該ネジ軸を中心に位置決めするためのカラーが設けられており、
前記締結部材は、前記アームレストパッドから外部に延出された前記ネジ軸を締結することを特徴とする。
【０００７】
請求項２記載の発明は、請求項１記載のアームレストにおいて、
前記締結部材は、前記アームレストパッドから外部に延出された前記ネジ軸を締結するナットであることを特徴とする。
【０００８】
請求項３記載の発明は、請求項１又は２記載のアームレストにおいて、
前記ネジ軸は、前記第一軸と同心となるように設けられていることを特徴とする。
【０００９】
請求項４記載の発明は、請求項１から３のいずれか一項に記載のアームレストにおいて、
前記ネジ軸の先端部を挿入するボスを前記第一の支持ブラケットに固定装備したことを特徴とする。
【００１０】
請求項５記載の発明は、請求項１から４のいずれか一項に記載のアームレストにおいて、
前記ネジ軸は長尺のボルトであり、
前記ボルトの両端部に、前記カラーが設けられていることを特徴とする。
【００１１】
請求項６記載の発明は、請求項５記載のアームレストにおいて、
前記締結部材は、前記アームレストパッドから外部に延出された前記ネジ軸を締結するナットであり、
前記ボルトの先端部と前記ナットとの間に介在するワッシャーを備えることを特徴とする。
【発明の効果】
【００１２】
請求項１記載の発明は、アームレストパッドと第一の支持ブラケットとを連結する締結部材をアームレストパッドの外側に配置しているので、アームレストの組み付けの際に締結部材がアームレストパッドの内部に埋設されることなく、外部から容易に締結部材の締結状態を視認することが可能となる。
また、アームレストパッドにネジ軸を挿通する筒状体を内蔵し、ネジ軸に、当該ネジ軸を中心に位置決めするためのカラーを設ける構成としたので、アームレストパッドの回転中心を所望の位置に合わせることが容易となり、回転ぶれ等を抑制し、アームレストパッドの回動動作の安定化を図ることが可能となる。
【００１３】
請求項２記載の発明は、締結部材をナットとするので、アームレストパッドの外側に配置する場合にその配置スペースを容易に確保することが可能である。また、ナットの配置スペースは少なくて良いので、アームレスト全体の小型化を図ることが可能となる。
【００１４】
請求項３記載の発明は、ネジ軸を第一軸と同心となるように設けることにより、アームレストパッドと第一の支持ブラケットとを連結するネジ軸をアームレストパッドの回転軸としても利用することができ、部品点数の低減を図ることが可能となる。
【００１５】
請求項４記載の発明は、ネジ軸の先端部を挿入するボスを第一の支持ブラケットに固定装備したので、平板で支持する場合に比べてネジ軸を安定的に支持することが可能となり、アームレストパッドの回動動作の安定化を図ることが可能となる。
【００１６】
請求項５記載の発明は、ネジ軸を長尺のボルトとし、アームレストパッドにボルトを挿通する筒状体を内蔵し、ボルトの両端部に、当該ボルトを中心に位置決めするためのカラーを設ける構成としたので、アームレストパッドの回転中心を所望の位置に合わせることが容易となり、回転ぶれ等を抑制し、アームレストパッドの回動動作の安定化を図ることが可能となる。
【００１７】
請求項６記載の発明は、ボルトの先端部とナットとの間にワッシャーを介在させているので、ナットを締結するとワッシャーが回り止めとなり、緩みを防止することが可能となる。
また、ボルトとナットの間の傷の発生を防ぎ、部材の保護を図ることが可能となる。
【図面の簡単な説明】
【００１８】
【図１】シートの斜視図である。
【図２】アームレストの斜視図である。
【図３】図２と異なる方向から見たアームレストの斜視図である。
【図４】図２及び図３と異なる方向から見たアームレストの斜視図である。
【図５】アームレストが使用位置にあるときに第一軸を含む垂直な平面に沿った断面によりアームレストパッドを断面視した断面図である。
【図６】第一軸を含む水平な断面に沿ったストッパー部材周辺の断面図である。
【図７】ストッパー部材を後方から見た背面図である。
【図８】補強支持部材を後方から見た背面図である。
【図９】対称形状とした補強支持部材の例を示す背面図である。
【図１０】アームレストの使用状態において、第二軸を含む鉛直上下方に沿った断面により第一の支持ブラケット及び第二の支持ブラケットを断面視した断面図である。
【発明を実施するための形態】
【００１９】
以下に、本発明を実施するための形態について図面を用いて説明する。但し、以下に述べる実施形態には、本発明を実施するために技術的に好ましい種々の限定が付されているが、発明の範囲を以下の実施形態及び図示例に限定するものではない。
【００２０】
本実施形態では、アームレスト１０を備える乗物用のシート１００を例示する。
なお、以下の説明では、シート１００に座った人間から見て前後左右上下となる方向をシート１００における前後左右上下として説明する。なお、前後方向と左右方向と上下方向とは互いに直交するものとする。
【００２１】
［シート］
図１はシート１００の斜視図である。なお、この図では、シートのカバー及びカバー内の樹脂やウレタンの図示を省略し、専らシートフレームのみを図示している。
シート１００は、図示のように、シートバックフレーム１２０と、シートバックフレーム１２０の下部の左右にそれぞれ配置された左右一対のクッションサイドフレーム１３０，１３０と、左右一対のクッションサイドフレーム１３０，１３０を連結する前後のパイプフレーム１４１，１４２と、クッションサイドフレーム１３０，１３０の下側に設けられたベースフレーム１５０と、クッションサイドフレーム１３０，１３０に対してシートバックフレーム１２０を傾動させる可動部としてのリクライニング機構１６０と、ベースフレーム１５０に対してクッションサイドフレーム１３０，１３０を前後に移動させる可動部としてのスライド機構１７０と、シート１００の横（側面）に設けられ、アームレストパッド２０の二軸回動により収納位置と使用位置とを切り替え可能なアームレスト１０とを備えている。
なお、上記各フレーム１２０，１３０，１４１，１４２，１５０は、主に防錆性の金属(例えば、ステンレススチール）から形成されている。
【００２２】
シートバックフレーム１２０は左右に一対のバックサイドフレーム１２１，１２１を備え、上部にこれらバックサイドフレーム１２１，１２１を連結するパイプ状の上部フレーム１２２を備えている。
【００２３】
また、シートバックフレーム１２０の下端部には一対のクッションサイドフレーム１３０，１３０の後端部に連結する支軸１２３が設けられている。この支軸１２３は左右方向に沿って取り付けられており、各クッションサイドフレーム１３０，１３０に対して、シートバックフレーム１２０の上端部側が前後に移動する方向にシートバックフレーム１２０を回動可能としている。
【００２４】
さらに、上部フレーム１２２の左右両側の上下に沿った二本の支柱部分の間には、左右方向に凹凸形状が連続するワイヤーフレーム１２４とＳバネ１２５とが架設されている。
また、二つのバックサイドフレーム１２１，１２１の間にもＳバネ１２６が架設されている。
【００２５】
リクライニング機構１６０は、支軸１２３に設けられ、リクライニングモーター(図示略)によりシートバックフレーム１２０に回動動作の付与を行う。
【００２６】
左右一対のクッションサイドフレーム１３０，１３０は、パイプフレーム１４１，１４２によって前後の端部同士を連結され、前側のパイプフレーム１４１と後側のパイプフレーム１４２との間には複数のＳバネ１３１が架設されている。
【００２７】
ベースフレーム１５０は左右両側に前後方向（厳密には幾分前斜め上に傾斜している）に沿った長尺のスライドレール１５１，１５１と、各スライドレール１５１，１５１の前端部と後端部とをそれぞれシートの組み付け位置に固定するための脚部１５２，１５３とを備えており、一対のクッションサイドフレーム１３０，１３０を前後移動可能に支持している。
【００２８】
スライド機構１７０は、ベースフレーム１５０の左右のスライドレール１５１，１５１によって前後移動可能な一対のクッションサイドフレーム１３０，１３０に対して前後の移動力を付与するスライドモーター(図示略)を備えている。
【００２９】
［アームレストの概略］
図２〜図４はそれぞれ異なる方向から見たアームレスト１０の斜視図である。なお、いずれの図も後述するアームレストパッド２０の表皮カバー２７及びその内部の樹脂２６の図示を省略している。
アームレスト１０は、略平板状のアームレストパッド２０と、アームレストパッド２０を、第一軸Ｐ１を中心に回動可能に支持する第一の支持ブラケット４０と、第一の支持ブラケット４０を、第二軸Ｐ２を中心に回動可能に支持する第二の支持ブラケット６０とを備えている。
【００３０】
上記第二の支持ブラケット６０は、左右方向に平行な第二軸Ｐ２を中心に第一の支持ブラケット４０をおよそ90°の範囲で回動可能とすることにより、第一の支持ブラケット４０及びアームレストパッド２０の前端部が上方を向いた起立状態と前方を向いた水平状態とに切り替えることができる。
上記第一の支持ブラケット４０は、アームレストパッド２０の水平状態において前後方向に平行となる第一軸Ｐ１を中心にアームレストパッド２０をおよそ90°の範囲で回動可能とすることにより、アームレストパッド２０の側端部が上方を向いた起立状態と右方を向いた水平状態とに切り替えることができる。
【００３１】
なお、アームレストパッド２０の前端部が前方を向き且つ側端部が右方を向いて平板面が略水平となった状態がアームレスト１０の使用位置であり、アームレストパッド２０の前端部が上方を向き且つ側端部が後方を向いて平板面が略垂直となった状態がアームレスト１０の収納位置を示す。
また、アームレスト１０における以下の説明において、アームレスト１０の各構成について前後左右上下のいずれかの部位、位置、方向、向き等を説明する場合には、アームレスト１０が使用位置の姿勢であることを前提とするものとする。
【００３２】
［アームレストパッド］
図５はアームレスト１０の使用位置において、第一軸Ｐ１を含む垂直な平面に沿った断面によりアームレストパッド２０を断面視した断面図である。
図２及び図５に示すように、アームレストパッド２０は、第一軸Ｐ１が中心となるように据えられた円筒状の筒状体２１と、筒状体２１の外周面から第一軸Ｐ１を中心とする半径方向外側に張り出されたフレームワイヤ２２と、筒状体２１に挿入されたネジ軸としての長尺のボルト２３と、筒状体２１の後端部に固定装備され、第一の支持ブラケット４０に対向するプレート部２４と、プレート部２４に固定支持されると共に第一軸Ｐ１に沿って第一の支持ブラケット４０側に向かって延出された突起部２５と、アームレストパッド２０の外形全体を形作る樹脂２６と、樹脂２６の表面を被覆する表皮カバー２７とを備えている。
【００３３】
筒状体２１は、図５に示すように、いずれも第一軸Ｐ１が中心となるように同心に配置された内筒２１１と外筒２１２とを有する二重管構造であり、相互間は固定されている。
また、内筒２１１の前端部は外筒２１２の前端部よりも後方内側に位置している。
そして、内筒２１１の前端部側からその内側にボルト２３が挿入されている。
【００３４】
ボルト２３は、図５に示すように、外筒２１２の外径と等しい頭部２３１と、段部を介して頭部２３１に隣接する第一挿入部２３２と、段部を介して第一挿入部２３２隣接する第二挿入部２３３と、円錐面を介して第二挿入部２３３に隣接する長尺の軸部２３４と、軸部２３４の挿入側の先端部に形成されたネジ部２３５とを備えている。
【００３５】
ボルト２３の頭部２３１の外径は外筒２１２の外径とほぼ等しく、第一挿入部２３２の外径は外筒２１２の内径とほぼ等しい。従って、第一挿入部２３２は、頭部２３１が当接する位置まで外筒２１２の前端部に挿入することができる。この状態で、頭部２３１の外周面と外筒２１２の前端部の外周面とが連接する。そして、その境界位置で溶接により筒状体２１に対してボルト２３が固着されている。筒状体２１及びフレームワイヤ２２は、アームレストパッド２０の外形を形作る樹脂２６に埋設され、アームレストパッド２０の展開時には、筒状体２１と樹脂２６とが一体となって回動する。ボルト２３は、筒状体２１に固着されることにより、アームレストパッド２０内において回転不能な状態で固定される。
【００３６】
また、ボルト２３の第二挿入部２３３の外径は内筒２１１の前端部側の内径よりも小さく、第二挿入部２３３及び軸部２３４は内筒２１１の前端部の内側に遊挿されている。そして、内筒２１１の内周面と第二挿入部２３３の外周面との間には、フランジ付きのカラー２１３が介挿されている。このカラー２１３は、その外径が内筒２１１の前端部の内径に略一致し、その内径が第二挿入部２３３の外径に略一致しており、ボルト２３の前端部を、当該ボルト２３の中心が筒状体２１の中心（第一軸Ｐ１）に一致するように保持している。
【００３７】
また、外筒２１２の後端部には、第一の支持ブラケット４０からアームレストパッド２０側に向かって延出された円筒状のボス４１が遊挿されている。
このボス４１の外周面と外筒２１２の内周面との間には、フランジ付きのカラー２１４が介挿されている。このカラー２１４は、その外径が外筒２１２の内径に略一致し、その内径がボス４１の外径に略一致しており、外筒２１２の後端部において、外筒２１２とボス４１とを互いに同心となるように保持している。
【００３８】
一方、筒状体２１の内筒２１１は、後端部が縮径しており、その外径はボス４１の内径に略一致すると共に当該ボス４１に挿入されている。ボス４１は、その後端部が第一の支持ブラケット４０におけるアームレストパッド２０とは反対側に突出している。そして、内筒２１１の後端部はボス４１の後端部からわずかに後方に突出すると共に僅かに拡径して抜け止めが形成されている。
さらに、内筒２１１の後端部の内径はボルト２３の軸部２３４の外径よりも大きく、当該軸部２３４が遊挿されている。つまり、ボルト２３の後端部（挿入方向の先端部）は内筒２１１を介してボス４１に挿入されている。
そして、内筒２１１の後端部の内周面と軸部２３４の外周面との間には、フランジ付きのカラー２１５が介挿されている。このカラー２１５は、その外径が内筒２１１の後端部の内径に略一致し、その内径が軸部２３４の外径に略一致しており、ボルト２３の後端部において、ボルト２３の中心が内筒２１１の中心（第一軸Ｐ１）に一致するようにボルト２３を保持している。
【００３９】
また、ボルト２３のネジ部２３５は、その外周面に雄ネジが形成されている。そして、ボルト２３は、ネジ部２３５がボス４１及び内筒２１１の後端部から後方に突出する位置まで挿入され、ボス４１及びカラー２１５の内径よりも外径が大きなワッシャー２１６を介して、ネジ部２３５が締結部材としてのナット２１７に締結されている。
ナット２１７は、カラー２１５との間でワッシャー２１６を挟み込んだ状態で締結される。このため、ワッシャー２１６がナット２１７の滑りを抑え、ナット２１７の緩みの発生を効果的に低減することができる。
【００４０】
また、ボルト２３のネジ部２３５は第一の支持ブラケット４０に対してアームレストパッド２０とは反対側（後方）まで延びているので、ナット２１７も第一の支持ブラケット４０におけるアームレストパッド２０とは反対側（後方）に位置している。
このため、アームレストパッド２０を第一の支持ブラケット４０に組み付ける際には、ナット２１７の締結状態を視覚的に容易に確認することが可能である。
【００４１】
フレームワイヤ２２は、図２及び図３に示すように、その一端部と他端部とが筒状体２１の外周面における前端部近傍と後端部近傍とに溶接で固着されている。このフレームワイヤ２２は、平面視で概ね矩形に形成されており、角部が丸みを帯びると共にその一角が第一の支持ブラケット４０と干渉しないように、大きく内側に凹んだ形状となっている。
【００４２】
樹脂２６は、図３及び図５に示すように、フレームワイヤ２２の全体及び後端部を除いた筒状体２１のほぼ全体を内包するように平面視矩形の略平板状に形成されている。この樹脂２６の外形は、左右方向から見て前方に向かうにつれて徐々に厚みが薄くなるように略楔状に形成されている。従って、アームレストパッド２０の上面は、使用状態において水平よりも前端部が幾分下降する方向に傾斜している。また、樹脂２６の前端部と後端部とは、それぞれ左右方向を軸とする周面形状となっている。
樹脂２６の表面は、外部に突出する筒状体２１の後端部を除いて、全て表皮カバー２７に被覆されている。この表皮カバー２７は、革、合成皮革、布などシート状の素材であれば特に限定されない。
【００４３】
プレート部２４は、図５に示すように、第一軸Ｐ１に垂直な平板であり、その中央部に設けられた円孔に筒状体２１の外筒２１２の後端部が挿入されている。このプレート部２４は、外筒２１２の後端部を圧挿させて固定する固定具２４１により筒状体２１の後端部に固定装備されている。また、プレート部２４は、樹脂２６の後端部近傍に埋設されている。
【００４４】
また、プレート部２４は、図４に示すように、当該プレート部２４を貫通する棒状の突起部２５を溶接により固着支持している。この突起部２５はその後端部がプレート部２４から真っ直ぐに後方に延びて第一の支持ブラケット４０に設けられたストッパー部材４６に挿入されている。また、突起部２５の前端部は上方に屈曲して外筒２１２の外周面上に溶接により固着されている。
【００４５】
［第一の支持ブラケット：全体構成］
第一の支持ブラケット４０は、図２〜図４に示すように、平面視Ｌ字状に屈曲したブラケット本体４２と、ブラケット本体４２のＬ字状の内側となる二面側に設けられたカバー体４３と、ブラケット本体４２に固定支持されたボス４１，４４と、ブラケット本体４２及びカバー体４３を補強する二つの連結補強部材４５，４５と、ブラケット本体４２に設けられると共にアームレストパッド２０の回動範囲を規制するストッパー部材４６と、ストッパー部材４６における突起部２５が当接する当接部としての下端部においてストッパー部材４６を突起部２５の逆側から支える補強支持部材４７とを備えている。
【００４６】
［第一の支持ブラケット：第一壁部］
図２に示すように、ブラケット本体４２は、屈曲部を挟んで、アームレストパッド２０に対向して当該アームレストパッド２０を支持する第一壁部４２１と、第二の支持ブラケット６０に対向して当該第二の支持ブラケット６０と連結される第二壁部４２２とを有している。
第一壁部４２１は、略矩形であって前述した第一軸Ｐ１に対して垂直であり、その中心にボス４１を貫通させた状態で溶接により固着支持している。
また、第一壁部４２１は、その左端部に第二壁部４２２が位置し、右端部はその外縁形状が外側に膨出した円弧状となっている。そして、第一壁部４２１の右端部近傍にはその外縁に沿うように円弧状の開口部４２３が形成されており、当該開口部４２３にはストッパー部材４６が嵌合装備されている。この円弧の開口部４２３は、第一軸Ｐ１を中心とする円弧に沿って形成されており、その両端部は半円弧状に丸みを帯びている。そして、ストッパー部材４６は、第一壁部４２１における第二壁部４２２とは逆側の端部に位置すると共に、第二壁部４２２とストッパー部材４６との間にボス４１が位置している。
【００４７】
［第一の支持ブラケット：ストッパー部材］
図６は第一軸Ｐ１を含む水平な断面に沿ったストッパー部材４６周辺の断面図、図７はストッパー部材４６を後方から見た背面図である。
図６及び図７に示すように、上記開口部４２３に装備されたストッパー部材４６は、可撓性を有する筒状の樹脂からなり、開口部４２３に挿入されると、当該開口部４２３に倣った形状で保持される。ストッパー部材４６の外周面には、上下の端部とその中間部に合計六つの四角い凸状の爪部４６１が突設されており、開口部４２３に対して後方から前方に向かって挿入すると、各爪部４６１が第一壁部４２１に当接して適切な位置で止めることができる。即ち、各爪部４６１により、ストッパー部材４６の取り付け作業の際に、開口部４２３に対する押し込み過ぎや押し込み不足等の発生を効果的に低減すると共に押し込み量に大きな注意を払うことなく作業することができ、作業負担の軽減を図ることが可能となる。なお、爪部４６１の個数及び配置は任意に変更可能である。
【００４８】
筒状のストッパー部材４６の内側には、アームレストパッド２０から後方に延出された突起部２５の後端部が挿入されている。突起部２５は筒状体２１のプレート部２４に固定支持されているので、アームレストパッド２０の回動と共に第一軸Ｐ１回りに周回移動する。従って、ストッパー部材４６の円弧形状に沿ってその内部を移動する。
【００４９】
アームレストパッド２０は第一軸Ｐ１を中心に90°の範囲で回動して使用位置と収納位置とが切り替えられ、ストッパー部材４６はアームレストパッド２０の回動範囲を上記二位置の間に規制する。
即ち、図７のストッパー部材４６の内側上端部に突起部２５が当接した状態でアームレストパッド２０は収納位置にあり、ストッパー部材４６の内側下端部に突起部２５が当接した状態でアームレストパッド２０は使用位置にある。
【００５０】
なお、このアームレスト１０では、アームレストパッド２０における第一の支持ブラケット４０に対する対向面に突起部２５を設け、第一の支持ブラケット４０におけるアームレストパッド２０に対する対向面にストッパー部材４６を設けているが、アームレストパッド２０側にストッパー部材４６を配置し、第一の支持ブラケット４０側に突起部２５を配置しても良い。
【００５１】
［第一の支持ブラケット：補強支持部材］
図８は補強支持部材４７を後方から見た背面図である。図２及び図８に示すように、補強支持部材４７は長尺な平板であり、その長手方向が左右方向に沿った状態で第一壁部４２１の後面であってボス４１の下方に固着装備されている。
補強支持部材４７の右端部の端面は、ストッパー部材４６の一端部（下端部）の外周面上に当接する支持部４７１である。この支持部４７１が当接するストッパー部材４６の端部は、アームレストパッド２０が使用位置のときに突起部２５が位置する端部である。
【００５２】
ストッパー部材４６の下端部において外側に凸となる半円弧状の外周面に密接するように、支持部４７１の後方から見た形状は半円弧状に凹状となっている。そして、突起部２５がストッパー部材４６の下端部においてその内周面に当接する際に、第一壁部４２１の板厚と補強支持部材４７の板厚とに基づく広い面積で突起部２５の逆側からストッパー部材４６を支える。仮に、補強支持部材４７が存在しない場合には、ストッパー部材４６は、第一壁部４２１の板厚のみに基づく狭い面積で支えられることになり、突起部２５がストッパー部材４６の一端部に当接した時に加圧力が第一壁部４２１の板厚のみに基づく狭い面積に集中して樹脂製のストッパー部材４６が潰れたり破損を生じたりするおそれが生じるが、補強支持部材４７の存在により加圧力を分散してストッパー部材４６の破損を抑制し、保護することが可能となる。
【００５３】
また、補強支持部材４７は、前述したように、ストッパー部材４６におけるアームレストパッド２０の使用位置側の端部を支持している。アームレストパッド２０の収納位置から使用位置への回動は、起立状態から倒れるように行われるので、突起部２５はアームレストパッド２０の重量に基づく慣性力も加わった状態でストッパー部材４６の下端部に当接することになり、ストッパー部材４６の保護は収納位置側の端部に比べて特に必要となる。従って、補強支持部材４７はストッパー部材４６の使用位置側の端部を支持している。但し、ストッパー部材４６の収納位置側の端部にも補強支持部材４７を設けてもよいことは言うまでもない。
【００５４】
補強支持部材４７は、第一壁部４２１の後面に対して二つの溶接ポイントＷ１，Ｗ２で溶接されている。図２に示すように、二つの溶接ポイントＷ１，Ｗ２はそれぞれ補強支持部材４７の一端部近傍と他端部近傍とに位置し、これら二つの溶接ポイントＷ１，Ｗ２は補強支持部材４７の長手方向（左右方向）についてボス４１を挟んだ配置となっている。
また、一方の溶接ポイントＷ１は、図８に示すように、突起部２５の移動軌跡となる円弧の、ストッパー部材４６の下端部における接線の延長線上に位置している。つまり、補強支持部材４７の溶接ポイントＷ１は、ストッパー部材４６に対する当接部としての下端部に対して突起部２５が当接する際の押圧方向Ｆの延長線上となる位置にある。
これにより、突起部２５がストッパー部材４６の下端部に繰り返し当接しても、補強支持部材４７は第一壁部４２１に対して強固に保持され、耐久性を向上させることができる。
【００５５】
補強支持部材４７の左端部には、図２に示すように、半長円状の切り欠き４７２と円形の開口部４７３とが形成されている。切り欠き４７２と円形の開口部４７３は、それぞれ、第一壁部４２１に設けられた二つの円形の開口部４２４，４２５に位置が合致するように補強支持部材４７を第一壁部４２１に配置してから溶接することで、補強支持部材４７を第一壁部４２１の正しい位置に正しい向きで取り付けることができる。
【００５６】
なお、切り欠き４７２と円形の開口部４７３の二つにより補強支持部材４７の位置決めを行う構成を例示したが、これに限らず、より多くの切り欠き又は開口部を設けてもよい。また、複数の切り欠きのみ又は複数の開口部のみにより補強支持部材４７の位置決めを行う構成としてもよい。
【００５７】
なお、図９に示すように、補強支持部材４７は、所定の中心線Ｃを基準とする対称形状としてもよい。このように対称形状とすることより、補強支持部材４７の組み付けの際に部材の表裏を確認する必要がなくなり、組み付け作業の負担軽減，作業効率の向上を図ることが可能となる。なお、補強支持部材４７の支持部４７１は対称形状となる様にストッパー部材４６に対して取り付ける向きを変更し、切り欠き４７２と円形の開口部４７３は中心線Ｃ上となるように、第一壁部４２１側の開口部４２４，４２５の位置を変更することが望ましい。
【００５８】
また、図９の場合には、補強支持部材４７の長手方向に沿った中心線Ｃを基準とする対称形状を例示したが、これに限らず短手方向を基準とする対称形状としてもよい。その場合には、補強支持部材４７の長手方向の両端部にそれぞれ支持部４７１を設け、切り欠き４７２と円形の開口部４７３に替えて、長手方向の中心に対称に配置した位置決めのための二つの開口部を設けることが望ましい。
【００５９】
［第一の支持ブラケット：第二壁部］
第二壁部４２２は、図２に示すように、第一壁部４２１に対して後方に垂直に屈曲形成された半長円状の板状体である。第二壁部４２２の後端部が円弧状に形成され、当該円弧と同心となるように円筒状のボス４４が右方に突出するように一体的に形成されている。このボス４４には、第一の支持ブラケット４０を第二の支持ブラケット６０に連結するためのボルト６２が挿通される。
また、第二壁部４２２の円弧状の外縁部と上下の外縁部及び第一壁部４２１の上下の外縁部には、第一壁部４２１と第二壁部４２２のそれぞれに垂直となるように立ち上げられた外周壁部４２６が形成されている。第一壁部４２１と第二壁部４２２と外周壁部４２６とは、一枚の金属板に対する圧延、折曲加工により一体的に形成されている。
この外周壁部４２６により、ブラケット本体４２は第一壁部４２１と第二壁部４２２の撓みを低減し、構造上の強度を向上させることができる。
【００６０】
［第一の支持ブラケット：カバー体］
カバー体４３は、図３及び図４に示すように、アームレストパッド２０とは逆側においてブラケット本体４２の第一壁部４２１に対向する第一壁部４３１と、第二の支持ブラケット６０とは逆側においてブラケット本体４２の第二壁部４２２に対向する第二壁部４３２と、第一壁部４３１と第二壁部４３２との間でこれら双方に対して45°傾斜した傾斜壁部４３３と、第一壁部４３１と第二壁部４３２と傾斜壁部４３３の外縁に沿ってブラケット本体４２側に立ち上げられた外周壁部４３４とから主に構成され、これらは一枚の金属板に対する圧延、折曲加工により一体的に形成されている。
カバー体４３の外周壁部４３４は、ブラケット本体４２の外周壁部４２６に対して外側から摺接し、外周壁部４３４と外周壁部４２６の境界の随所において溶接が行われてブラケット本体４２とカバー体４３とが相互に固着されている。
【００６１】
第一壁部４３１は上下幅がブラケット本体４２の第一壁部４２１よりも僅かに広く、全体的に略矩形である。そして、第一壁部４３１には、ブラケット本体４２の第一壁部４２１側に凹んだ凹部４３５が形成され、凹部４３５の周囲の折曲部により第一壁部４３１の剛性の強化が図られている。
また、第一壁部４３１のほぼ中央部には、ボス４１及びボルト２３を締結するナット２１７をアームレストパッド２０とは反対側に露出させるように開口が形成されている。
【００６２】
また、ブラケット本体４２の第一壁部４２１とカバー体４３の第一壁部４３１とにより、図６に示すように、二重壁構造が形成されており、ストッパー部材４６や突起部２５はカバー体４３の第一壁部４３１によって外部から遮蔽されている。このため、ストッパー部材４６を外部から保護すると共に突起部２５が外部から干渉されず、アームレストパッド２０の良好な回動を確保することができる。
なお、カバー体４３の第一壁部４３１におけるストッパー部材４６後方の対向位置には開口４３６が穿設されており、カバー体４３の外部からストッパー部材４６の内側に突起部２５が適正に挿入されているかを視覚的に確認可能となっている。
【００６３】
第二壁部４３２は上下幅がブラケット本体４２の第二壁部４２２よりも僅かに広く、全体的に略半円形である。そして、第二壁部４３２のほぼ中央部には、第一の支持ブラケット４０を第二の支持ブラケット６０に連結するボルト６２を第二の支持ブラケット６０とは反対側に露出させるように開口が形成されている。
また、ブラケット本体４２の第二壁部４２２とカバー体４３の第二壁部４３２とにより、二重壁構造が形成されている。
そして、ブラケット本体４２の第二壁部４２２とカバー体４３の第二壁部４３２との間にはこれらに挟まれるように円筒状のボス４４が溶接により取り付けられている（図１０参照）。
【００６４】
傾斜壁部４３３は、第一壁部４３１と第二壁部４３２との間で双方に対して45°傾斜した方向に真っ直ぐ延びた状態で第一壁部４３１と第二壁部４３２とを連結している。このため、ブラケット本体４２とカバー体４３の第一壁部４２１，４３１と第二壁部４２２，４３２とが接離する方向に撓むことを効果的に抑制し、飛躍的な剛性の向上を図ることができる。
【００６５】
また、カバー体４３は、上記構成により、ブラケット本体４２との協働により二重壁構造を形成すると共に互いの外周壁部４２６，４３４が固着されているので、第一壁部４２１，４３１と第二壁部４２２，４３２とが接離する方向の撓みを含む第一の支持ブラケット４０全体の構成を飛躍的に高めることが可能である。
【００６６】
［第一の支持ブラケット：連結補強部材］
図３及び図４に示すように、二本の連結補強部材４５，４５は、いずれも、カバー体４３の第一壁部４３１と第二壁部４３２との間で双方に45°傾斜した方向に真っ直ぐ延びた状態で第一壁部４３１と第二壁部４３２とを連結する長尺平板である。各連結補強部材４５，４５は、第一壁部４３１と第二壁部４３２との間で、それぞれの平板面が水平となる状態で両端部が溶接により固着されており、その中間部には平板面を凹ませた凹部が形成され、剛性が強化されている。
【００６７】
また、二本の連結補強部材４５，４５は、上下方向についてボルト２３を挟んだ配置となっている。
さらに、二本の連結補強部材４５，４５は、第二壁部４３２側の端部が連結部４５１により連結され、全体的に一体化されている。この連結部４５１は第二壁部４３２に平行な平板であり、当該第二壁部４３２に密着するように配置されている。
また、連結部４５１には、図４に示すように、二つの位置決め用の切り欠き４５２，４５２が形成されている。各切り欠き４５２，４５２は、それぞれカバー体４３の第二壁部４３２に設けられた円形の開口に位置を合わせることで二本の連結補強部材４５，４５の位置及び向きの適正化を図ることができるようになっている。なお、切り欠きに限らず、開口としてもよい。
【００６８】
連結補強部材４５，４５は、第一壁部４３１と第二壁部４３２との間で双方に45°傾斜した方向に真っ直ぐ延びた状態で第一壁部４３１と第二壁部４３２とを連結している。このため、ブラケット本体４２とカバー体４３の第一壁部４２１，４３１と第二壁部４２２，４３２とが接離する方向に撓むことを効果的に抑制し、飛躍的な剛性の向上を図ることができる。
また、連結補強部材４５，４５は、連結部４５１により一体的に連結されているので、連結補強部材４５，４５と連結部４５１との間の撓みが低減するように剛性を高めることが可能である。さらに、連結部４５１により第二壁部４３２との連結強度を高めることが可能である。
【００６９】
［第二の支持ブラケット］
図１０はアームレスト１０の使用状態において、第二軸Ｐ２を含む鉛直上下方に沿った断面により第一の支持ブラケット４０及び第二の支持ブラケット６０を断面視した断面図である。
図１０に示すように、第二の支持ブラケット６０は、複数の脚部６１１により右側のバックサイドフレーム１２１の右側面に溶接で固着された内部中空のケーシング６１と、第一の支持ブラケット４０と第二の支持ブラケット６０とを連結する長尺のボルト６２と、ボス４４における第二の支持ブラケット６０とは逆側に挿入されたボルト６２の抜け止め６３と、抜け止め６３とボルト６２の頭部との間に介挿されるワッシャー６４と、アームレストパッド２０を上方に回動させる方向に押圧するねじりコイルバネ６５と、ケーシング６１内でコイルバネ６５の一端部を保持するバネ座６６と、ケーシング６１内でコイルバネ６５に押圧されるバネ受け６７とを備えている。
【００７０】
ケーシング６１は、一端部が閉塞され、他端部が開放された筒状の容器であり、閉塞側の端面６１２が第一の支持ブラケット４０に向けられ、開放側の端部からは複数の脚部６１１がバックサイドフレーム１２１の右側面に向かって延出されている。
ケーシング６１の閉塞側の端面６１２の中央は広く開口し、ボルト６２が遊挿されている。
【００７１】
ボルト６２は、一端部が頭部であり、中間が軸部、他端部の先端外周には雄ネジが形成されたネジ部となっている。そして、ボルト６２は、第一の支持ブラケット４０のボス４４に対して第二の支持ブラケット６０とは反対側（左側）から軸部及びネジ部が挿入され、第一の支持ブラケット４０を貫通してケーシング６１の開口に遊挿されている。
【００７２】
抜け止め６３は、ボルト６２の頭部の周囲を囲繞する円筒状の大径部と、ボス４４の内側に挿入される小径部と、大径部と小径部とを連接するフランジ部とを備えている。ボルト６２は軸部が小径部に遊挿され、頭部はワッシャー６４を介してフランジ部に当接している。
【００７３】
ケーシング６１内において、その端面６１２の内面にバネ座６６が溶接によって固着されている。このバネ座６６は、その中央部に開口部が形成され、当該開口部から右方に向かって立ち上げられた円筒部６６１を有している。
この円筒部６６１はねじりコイルバネ６５のコイル部分に挿入され、かかる状態でバネ座６６はねじりコイルバネ６５の一端部を固定保持している。
【００７４】
ねじりコイルバネ６５の他端部には皿状のバネ受け６７が配置されている。このバネ受け６７は、中心にボルト６２の軸部が挿入される貫通穴が形成されており、バネ受け６７におけるねじりコイルバネ６５の逆側（右側）においてボルト６２の軸部にナット６８が締結されている。
即ち、ボルト６２は、その頭部からネジ部のナット６８までの間にワッシャー６４、抜け止め６３、第一の支持ブラケット４０、ケーシング６１の端面６１２、バネ座６６、ねじりコイルバネ６５、バネ受け６７を挟んだ状態でナット６８が締結介在させた状態としている。また、ボルト６２は、その中心が第二軸Ｐ２と同一線上となるように配置されている。
【００７５】
さらに、ねじりコイルバネ６５の他端部はバネ受け６７に連結され、当該バネ受け６７からボルト６２を通じて第一の支持ブラケット４０に対して、ねじりコイルバネ６５によって上方へ回動する方向に押圧力が付与されている。
なお、ねじりコイルバネ６５の押圧力は、第一の支持ブラケット４０及びアームレストパッド２０を上方に跳ね上げるほどの力ではなく、第一の支持ブラケット４０及びアームレストパッド２０を前方に倒す際に抵抗力を付与して、その傾動動作を緩慢に行わせる程度の力である。つまり、ねじりコイルバネ６５は、第一の支持ブラケット４０及びアームレストパッド２０の回動時のダンパーとして機能するものである。
【００７６】
また、バネ受け６７は、バネ座６６に設けられた図示しないストッパーに当接して、アームレスト１０の収納位置における第二の支持ブラケット６０に対する第一の支持ブラケット４０の第二軸Ｐ２回りの回動位置からアームレスト１０の使用位置における第二の支持ブラケット６０に対する第一の支持ブラケット４０の第二軸Ｐ２回りの回動位置までの範囲内に回動が規制される。
【００７７】
［アームレストの動作］
アームレスト１０は、アームレストパッド２０が立設し、さらに後方に位置するアームレスト１０における収納位置にある状態から、第二の支持ブラケット６０に対して第二軸Ｐ２回りに第一の支持ブラケット４０が前方に90°回動すると共に、アームレストパッド２０が第一の支持ブラケット４０に対して第一軸Ｐ１回りに右に90°回動することによってアームレストパッド２０が展開され、アームレスト１０における使用位置の状態に切り替えられる。
また、アームレスト１０における使用位置にある状態において、アームレストパッド２０が展開された状態から第一の支持ブラケット４０に対して第一軸Ｐ１回りに左に90°回動することによってアームレストパッド２０が立設され、第二の支持ブラケット６０に対して第二軸Ｐ２回りに第一の支持ブラケット４０が後方に90°回動することにより後方に持ち上げられ、アームレスト１０における収納位置の状態に切り替えられる。
【００７８】
［発明の実施形態の作用効果］
アームレスト１０では、アームレストパッド２０と第一の支持ブラケットとを連結する締結部材としてのナット２１７をアームレストパッド２０の外側、即ち、第一の支持ブラケット４０におけるアームレストパッド２０とは逆側に配置している。
このため、ナット２１７がアームレストパッド２０の内部に埋設されることなく外部から観察可能であることから、アームレスト１０の組み付けの際に、外部から容易にナット２１７の締結状態を視認することが可能となる。
【００７９】
また、アームレストパッド２０から外部に延出されたネジ軸としてのボルト２３を締結する締結部材をナット２１７としているので、アームレストパッド２０の内部に埋設されないようにその外側である第一の支持ブラケット４０側に配置する場合に、スペースを容易に確保することが可能となる。そして、これに伴い、第一の支持ブラケット４０の小型化を図ることが可能となる。
【００８０】
また、アームレスト１０のアームレストパッド２０は、ネジ軸としてのボルト２３を第一軸Ｐ１と同心となるように設けているので、アームレストパッド２０と第一の支持ブラケット４０とを連結するボルト２３をアームレストパッド２０の回転軸としても利用することができ、部品点数の低減を図ることが可能となる。
【００８１】
また、アームレスト１０の第一の支持ブラケット４０は、ネジ軸としてのボルト２３の先端部を挿入するボス４１を第一の支持ブラケット４０のブラケット本体４２に固定装備したので、平板で支持する場合に比べてボルト２３をぐらつきなどが生じないように安定的に支持することが可能となり、アームレストパッド２０の良好な回動動作を実現することが可能となる。
【００８２】
また、アームレスト１０のアームレストパッド２０は、アームレストパッド２０にネジ軸としてのボルト２３を挿通する筒状体２１を内蔵し、ボルト２３の両端部に、当該ボルト２３を中心に位置決めするためのカラー２１３，２１５を配置したので、アームレストパッド２０の回転中心を所望の位置に合わせることが容易となり、回転ぶれ等を抑制し、アームレストパッド２０の良好な回動動作を実現することが可能となる。
【００８３】
また、アームレスト１０のアームレストパッド２０は、ボルト２３の先端部とナット２１７との間にワッシャー２１６を介在させているので、ナット２１７を締結するとワッシャー２１６が回り止めとなり、緩みを防止することが可能となる。
また、ボルト２３とナット２１７の間の傷の発生を防ぎ、部材の保護を図ることが可能となる。
【００８４】
また、アームレスト１０は、アームレストパッド２０の第一の支持ブラケット４０側の対向面に設けられた突起部２５と、第一の支持ブラケット４０のアームレストパッド２０側の対向面に設けられ、突起部２５の当接によりアームレストパッド２０の回動範囲を規制するストッパー部材４６と、ストッパー部材４６に対して突起部２５が当接する下端部においてストッパー部材４６を突起部２５の逆側となる外側から支える補強支持部材４７とを備えている。
このため、突起部２５の当接によるストッパー部材４６への加圧力をブラケット本体４２の第一壁部４２１だけでなく、補強支持部材４７にも分散させることができ、ストッパー部材４６の破損を回避し、効果的に保護することが可能となる。
【００８５】
また、アームレスト１０の第一の支持ブラケット４０は、補強支持部材４７が位置決め用の切り欠き４７２と開口部４７３とを有するので、補強支持部材４７をストッパー部材４６に対する取付位置に容易に位置合わせすることが可能となり、組み付け作業を容易且つ迅速に行うことが可能となる。
さらに、補強支持部材４７を適正な位置に合わせることができるので、ストッパー部材４６をより効果的に保護することが可能となる。
【００８６】
また、アームレスト１０の第一の支持ブラケット４０は、補強支持部材４７を板状とし、表裏反転しても同一形状の対称形としたので、表裏の確認を行わずにブラケット本体４２に補強支持部材４７の取り付けができるようになり、組み付け作業の容易化、迅速化を図ることが可能となる。
【００８７】
また、アームレスト１０の第一の支持ブラケット４０は、補強支持部材４７は、ストッパー部材４６の当接部である突起部２５が当接する一端部の外形に倣う形状の支持部４７１を有するので、補強支持部材４７の支持部４７１が広い面積でストッパー部材４６を支持することができ、より効果的にストッパー部材４６の破損回避による保護を図ることが可能となる。
【００８８】
また、アームレスト１０の補強支持部材４７は、ストッパー部材４６における突起部２５が当接する当接部としての一端部に対して突起部２５が当接する際の押圧方向の延長線上となる溶接ポイントＷ１で固着されているので、突起部２５の当接による押圧力を補強支持部材４７が受けた場合でも強固に取り付け状態を維持することができ、補強支持部材４７の剥離や脱落の発生を低減し、機構の長寿命化、保守性や信頼性の向上を図ることが可能となる。
【００８９】
また、アームレスト１０の第一の支持ブラケット４０がブラケット本体４２とカバー体４３とにより二重壁構造を形成するので、アームレストパッド２０の収納位置と使用位置との間での回動による応力に対して第一の支持ブラケット４０の変形量を低減し、ぐらつきの少ない安定した回動動作を行うことが可能となる。
さらに、ストッパー部材４６は二重壁の一方の第一壁部４３１の内側に設けられているので、当該ストッパー部材４６やストッパー部材４６内で移動する突起部２５が外部の物体と干渉することを効果的に低減することができ、ストッパー部材４６や突起部２５を保護すると共に突起部２５の良好な動作を維持することが可能となる。
【００９０】
また、アームレスト１０の補強支持部材４７は、当該補強支持部材４７の長手方向について第一軸Ｐ１を挟んだ二箇所の溶接ポイントＷ１，Ｗ２で第一の支持ブラケット４０のブラケット本体４２に固着されているので、二箇所の溶接ポイントＷ１，Ｗ２を第一軸Ｐ１を中心とする同一の円周上に近い位置に配置することができる。従って、突起部２５がストッパー部材４６に当接する際に生じる、第一軸Ｐ１を中心とする円周の接線方向にへの押圧力に対して補強支持部材４７は、上記二箇所の溶接ポイントＷ１，Ｗ２により強固に取り付け状態を維持することができ、補強支持部材４７の剥離や脱落の発生を低減し、機構の長寿命化、保守性や信頼性の向上を図ることが可能となる。
【００９１】
また、アームレスト１０の第一の支持ブラケット４０は、ブラケット本体４２がアームレストパッド２０と連結される第一壁部４２１と第二の支持ブラケット６０と連結される第二壁部４２２とが直角に屈曲した状態で一体化されているので、第一壁部４２１と第二壁部４２２とが別部材である場合に比べて、一定の連結強度を維持しつつ連結するための部材等の部品点数を低減することができ、製造コスト低減及び生産性の向上を図ることが可能となる。
【００９２】
また、アームレスト１０の第一の支持ブラケット４０が、カバー体４３の第一壁部４３１と第二壁部４３２とを連結する連結補強部材４５，４５を有するので、アームレストパッド２０の収納位置と使用位置との間での回動による応力に対して第一の支持ブラケット４０の変形量を低減し、安定的な回動動作を行うことが可能となる。
【００９３】
また、アームレスト１０の第一の支持ブラケット４０では、連結補強部材４５，４５を直線状として、カバー体４３の第一壁部４３１と第二壁部４３２との内側においてその両端部をそれぞれ連結したので、連結補強部材４５，４５に撓みが生じにくく、アームレストパッド２０の収納位置と使用位置との間での回動による応力に対して第一の支持ブラケット４０の変形量をさらに低減し、さらなる安定的な回動動作を行うことが可能となる。
【００９４】
また、アームレスト１０の第一の支持ブラケット４０では、連結補強部材４５，４５がネジ軸であるボルト２３を挟んでその両側に連結補強部材４５，４５をそれぞれ設けたので、アームレストパッド２０から伝わる応力による変形をその両側からバランス良く抑えることができ、第一の支持ブラケット４０の変形量をさらに低減し、さらなる安定的な回動動作を行うことが可能となる。
【００９５】
また、アームレスト１０の第一の支持ブラケット４０では、連結補強部材４５，４５同士が連結部４５１により一体的に連結されているので、各連結補強部材４５，４５の連結部側の倒れ方向の変形が抑制され、これにより、アームレストパッド２０の収納位置と使用位置との間での回動による応力に対して第一の支持ブラケット４０の変形量をさらに低減し、さらなる安定的な回動動作を行うことが可能となる。
【００９６】
また、アームレスト１０では、アームレストパッド２０における第一の支持ブラケット４０に対する対向面に突起部２５を設け、第一の支持ブラケット４０におけるアームレストパッド２０に対する対向面にストッパー部材４６を設けたので、組み付けにおいて、突起部２５が適正にストッパー部材４６に係合しているかを第一の支持ブラケット４０側から容易に確認することが可能となる。
【００９７】
また、アームレスト１０の第一の支持ブラケット４０では、ストッパー部材４６が、収納位置から使用位置までの範囲内にアームレストパッド２０の回動動作を規制するので、アームレストパッド２０の回動動作を収納位置と使用位置とで容易に停止させることができ、収納位置と使用位置との間での切替作業を簡易且つ良好に行うことが可能となる。
【００９８】
また、アームレスト１０の第一の支持ブラケット４０では、ブラケット本体４２の第一壁部４２１と第二壁部４２２とが直角に屈曲した状態で一体化されており、ストッパー部材４６は、第一壁部４２１における第二壁部４２２とは逆側の端部に設けられているので、第一壁部４２１と第二壁部４２２との連結部の強度を高く維持することができ、アームレストパッド２０の収納位置と使用位置との間での回動による応力に対してブラケット本体４２の変形量を低減し、安定的な回動動作を行うことが可能となる。
【００９９】
また、アームレスト１０の第一の支持ブラケット４０では、ボス４１を第一の支持ブラケット４０のブラケット本体４２の第一壁部４２１における第二壁部４２２とストッパー部材４６との間となる位置に設けたので、ストッパー部材４６に阻害されることなくボス４４を第二壁部４２２の近傍に配置することができ、アームレストパッド２０の収納位置と使用位置との間での回動による応力に対して第一の支持ブラケット４０の変形量を低減し、安定的な回動動作を行うことが可能となる。
【０１００】
また、アームレスト１０の第一の支持ブラケット４０では、カバー体４３に、突起部２５を視認可能な開口４３６を設けたので、二重壁構造によってカバー体４３の第一壁部４３１にストッパー部材４６が遮蔽された状態でも、ストッパー部材４６に対する突起部２５の係合状態を容易に確認することが可能となる。
【０１０１】
また、アームレスト１０の第一の支持ブラケット４０では、ストッパー部材４６を樹脂で形成したので、金属で形成した場合に比べて、内部を突起部２５が摺動したり当接したりした場合の騒音の発生を低減し、アームレストパッド２０の回動時の静音化を図ることが可能となる。
【０１０２】
また、アームレスト１０のアームレストパッド２０に第一軸Ｐ１を中心に回動する筒状体２１を内蔵し、当該筒状体２１には第一の支持ブラケット４０に対向するプレート部２４を固定装備し、突起部２５をプレート部２４に支持させたので、例えば、アームレストパッド２０の表面材料に樹脂のような柔軟なものを使用した場合でも、突起部２５はプレート部２４に強固に支持され、突起部２５とストッパー部材４６とによるアームレストパッド２０の回動動作の規制を良好に行うことが可能となる。
【０１０３】
また、アームレスト１０の第一の支持ブラケット４０では、ストッパー部材４６がブラケット本体４２に設けられた開口部４２３に挿入装備され、ストッパー部材４６の外周には、当該ストッパー部材４６の挿入方向の位置を決める爪部４６１が設けられているので、開口部４２３に対してストッパー部材４６を挿入すると、爪部４６１が開口部４２３の周囲に当接して適切な位置で止めることができる。このため、爪部４６１により、ストッパー部材４６を適正な押し込み量で取り付けることができると共に押し込み量に大きな注意を払うことなく作業することができ、作業負担の軽減を図ることが可能となる。
【符号の説明】
【０１０４】
１０  アームレスト
２０  アームレストパッド
２１  筒状体
２１１  内筒
２１２  外筒
２１３，２１４，２１５  カラー
２１６  ワッシャー
２１７  ナット（締結部材）
２３  ボルト（ネジ軸）
２３５  ネジ部
２４  プレート部
２５  突起部
４０  第一の支持ブラケット
４１  ボス
４２   ブラケット本体
４２１  第一壁部
４２２  第二壁部
４２３  開口部
４２４，４２５  開口部
４３  カバー体
４３１  第一壁部
４３２  第二壁部
４３６  開口
４４  ボス
４５  連結補強部材
４５１  連結部
４６  ストッパー部材
４６１  爪部
４７  補強支持部材
４７１  支持部
４７２  切り欠き
４７３  開口部
６０  第二の支持ブラケット
１００  シート
１２１  バックサイドフレーム
Ｐ１  第一軸
Ｐ２  第二軸
Ｗ１，Ｗ２  溶接ポイント
【図１】
0006427046.tif 000002
【図２】
0006427046.tif 000003
【図３】
0006427046.tif 000004
【図４】
0006427046.tif 000005
【図５】
0006427046.tif 000006
【図６】
0006427046.tif 000007
【図７】
0006427046.tif 000008
【図８】
0006427046.tif 000009
【図９】
0006427046.tif 000010
【図１０】
0006427046.tif 000011